(57)【要約】【課題】本考案は連結送水管設備に関し、送水口から消火用水を送る送水配管系の送水配管間の敷設長さの長短に合わせて長さが調整される長さ調整管部内に取付けた逆止弁ユニットを施工現場にて簡単な取扱い操作により着脱させて新たな部品との交換作業を容易かつ確実に行い、保守・管理を優れたものとなす。【解決手段】送水口Ｊ,Ｊから消火用水Ｗを送る送水配管系Ｐの一次側及び二次側の送水配管１,１′間に接続される管路内に逆止弁Ａ′、止水弁Ｂを設け、前記逆止弁に対して一次側または／および二次側に排水弁Ｃを備えた連結送水管設備であって、前記送水配管間に両端が接続される長さ調整管部２内に逆止弁ユニットＡを着脱可能に設けた。【選択図】図１
0003118890.tif 000002
【実用新案登録請求の範囲】
【請求項１】
送水口から消火用水を送る送水配管系の一次側及び二次側の送水配管間に接続される管路内に逆止弁、止水弁を設け、前記逆止弁に対して一次側または／および二次側に排水弁を備えた連結送水管設備であって、
前記送水配管間に両端が接続される長さ調整管部内に逆止弁ユニットを着脱可能に設けた、
ことを特徴とする連結送水管設備。
【請求項２】
前記長さ調整管部は、被挿入管と該被挿入管内に摺動可能に一方の管端が挿入される挿入管とにより長さが調整可能に設けられ、
前記被挿入管または前記挿入管は、一次側または／および二次側の送水配管に対向して管端部の外周に設けた係合縁に係合するフランジと、一次側または／および二次側の前記送水配管の管端部外周に設けたフランジ部とをボルト・ナットにより緊結することにより一次側または／および二次側の送水配管に接続されることを特徴とする請求項１に記載の連結送水管設備。
【請求項３】
前記逆止弁ユニットが、前記挿入管の一次側の管端部内に着脱可能に取付けられるか、または、前記逆止弁ユニットが、前記被挿入管の一次側の管端部内に着脱可能に取付けられることを特徴とする請求項１または２に記載の連結送水管設備。
【請求項４】
前記逆止弁ユニットと、止水弁と、排水弁とは前記挿入管に設けられることを特徴とする請求項１〜３の何れか１の請求項に記載の連結送水管設備。
【請求項５】
前記逆止弁ユニットと、止水弁と、排水弁とは前記被挿入管に設けられることを特徴とする請求項１〜３の何れか１の請求項に記載の連結送水管設備。
【請求項６】
前記逆止弁ユニットが、前記被挿入管または前記挿入管の一次側の管端部内に一端が着脱自在に取付けられ、全体形状が一次側から二次側にわたり漸次径小に形成される筒状をなして外周には複数個の流通孔を有し、二次側の後端には複数個の流水孔と中心には摺動孔とが開設された支持部材が設けられた弁ケースと、
該弁ケース内に軸長方向に摺動可能に設けられ、弁ケースの一次側の内周に設けた弁座部に接離して開閉止され送水元に臨む略円錐状のキャップが前面に形成された弁体と、
前記弁ケースの軸長方向の長さの１／２以下の長さの筒状をなして前記弁体に対してアロウアンスを介して配置されるとともに一端が前記摺動孔内に摺動可能に挿入されて前記支持部材の背部に添設可能な鍔状の添設部を後端部外周に設けた弁ロッドと、
該弁ロッド内に摺動可能に挿入され先端部が前記弁体に螺入されることにより前記弁ロッドに対して前記弁体を当接可能に支持する支持ボルトと、
該支持ボルトの外周に配置され、前記弁体と前記支持部材との間に介在されることにより前記弁体を常時前記弁ケースの弁座部に当接させて閉止する方向に附勢する巻ばねと、
を備えたことを特徴とする請求項１〜５の何れか１の請求項に記載の連結送水管設備。
【請求項７】
前記止水弁が、挿入管または被挿入管の何れかの径方向に回動可能に回動軸を嵌挿し、該回動軸に前記挿入管または前記被挿入管内を開閉するバタフライを設けたことを特徴とする請求項１〜６の何れか１の請求項に記載の連結送水管設備。
【請求項８】
前記排水弁が、前記被挿入管または／および前記挿入管の外周に設けた取付管部に継手
部材を介して逆止弁ユニットに対して一次側または二次側に取付けられることを特徴とする請求項１〜７の何れか１の請求項に記載の連結送水管設備。
【考案の詳細な説明】
【技術分野】
【０００１】
本考案は連結送水管設備に関し、例えばビルディング、マンション等の建造物に各階毎に備えられている消火設備に建造物の外部に設ける送水口から消防ポンプ自動車のポンプを駆動する等して消火用水を供給するのに各建造物毎に異なる送水配管系の送水配管間に敷設長さの長短に合わせて長さが調整される長さ調整管部内に施工現場等にて簡単な取扱操作により逆止弁ユニットを施工現場にて取付および取外しを容易に行い、弁類やＯリング等の部品の交換を簡便にし、保守・管理を優れたものにしようとする。
【背景技術】
【０００２】
ビルディングやマンション等の建造物では、出火時の初期消火に備える設備として建物に予め消火用水を供給するための送水配管系を配置したり、屋上や地下に消火用水を常時、貯留しておくための貯水タンクを設けることにより各階層毎に備え付けたボックス内に格納されている備え付けの放水用ホースにより初期消火に役立てていた。また、貯水タンクに溜められている消火用水だけでは足りない場合にも消防ポンプ自動車のポンプの駆動により建造物に備え付けらている送水配管系を通じて消火用水を所望階層の放水ノズル等の消火設備に供給することにより階層毎の消火活動を行っている。
【０００３】
このように建造物に付帯して消火用水を送水するための送水配管系には、連結送水管設備が介設されることが義務付けられている。この連結送水管設備として、従来、例えば送水元への逆流を阻止する逆止弁と、送水経路を開閉する止水弁と、前記逆止弁に対して一次側（流入側）または二次側（流出側）に設けられる排水弁とを送水配管系に接続して備え蓋付きの収容ケース内に設けたものがある。そして、この連結送水管設備の前記逆止弁は、短管自体の内部に放射状の連結壁を介して径大の基端部を連結した支持筒を一体的に形成した二重管構造に形成している。また、この支持筒内に弁体の一端に取付けた弁ロッドを摺動可能に挿入し、弁ロッドの外周には、外嵌された同径のコイルばねの附勢力を受ける円盤状の前記弁体を前記短管の一次側の内周に突設した弁座壁に押付けることにより閉止する構成の逆止弁ユニットである。
【０００４】
そして、使用に際して消火用水を送水するために消防ポンプ自動車のポンプが駆動されて送水元から高水圧が加わった場合に、逆止弁ユニットの弁体はコイルばねの附勢力に抗して支持筒に対して摺動されながら開弁され、消火用水は送水配管系に後段へと送水される。また、ポンプの駆動が停止される等して送水元が低圧になると、コイルばねの附勢力により弁ロッドが支持筒内を摺動して短管の弁座壁に弁体は押付けられて閉弁されることにより、消火用水の逆流を防止しようとするものである。
【０００５】
また、逆止弁に対して一次側に設けられた排水弁は、消火活動の終了後に開放されることにより、空気を注入して送水配管系の一次側に残存している水を排出させることができる。また、二次側に設けた排水弁は、例えばビルディング内部に備え付けられた放水設備の工事や保守・点検を行う時等に、開放し、空気を入れることにより逆止弁に対して二次側の管内に残留する水を排出するものがある（例えば、特許文献１参照。）。
【特許文献１】特許第３２５４１８２号公報
【考案の開示】
【考案が解決しようとする課題】
【０００６】
しかしながら、消火用水を建造物の外部に設けた送水口から建造物に付帯する送水配管を通じて各階層毎に備え付けのボックス内に格納されている放水用ホースに供給するのに、送水口の設置位置、設置方向、また、屋外に設けた送水口から建造物に付帯して設けられる送水配管系の建物までの敷設長さ、さらには送水口から建造物までの送水配管系の送水配管間の敷設長さは建造物毎に長短個々に異なった状態で敷設される。
【０００７】
従って、特許文献１に記載の上記構造の連結送水管設備は、送水配管間に接続する場合に、上流側短管と、逆止弁ユニットを内部に備えた短管と、止水弁ユニットを内部に備えた短管と、下流側短管との４つの短管を継手を用いて接続する構成であるが、この連結送水管設備を送水配管間に接続する場合には４つの短管の合計の敷設長さが長過ぎたり、逆に送水配管間の長さよりも４つの短管の敷設長さが短かかったりするため、施工現場にてサドル形式の継手を用いて上流側短管と、逆止弁ユニットを内部に備えた短管と、止水弁ユニットを内部に備えた短管と、下流側短管とを即座に対応して接続することができなかった。
【０００８】
しかも、送水配管間における各短管の敷設長さの調整が必要不可欠であるが、調整を行うためには、工場において４つの各短管につきそれぞれ数cmづつ寸法が長短異なるものを規格寸法として数種類づつ用意しておき、この中から建造物毎に合致する長さ寸法の４つの短管を選択し、これらの短管を組合わせることにより使用しなければならず、丁度良い長さに４つの長さの短管を選択することは難しく、過不足を生じていた。
【０００９】
また、上記連結送水管設備は、前述のように４つの各短管相互を接続するのに、２つ割のサドル形式の継手を用いて接続を行うが、その接続個所は一次側の送水配管と上流側短管との接続を行うこと、また、二次側の送水配管と下流側短管との接続を行うこと、さらには各短管相互の接続を行うことの合計５個所にて行われ、しかも、２つ割のサドル形式の継手は、部品点数が多く、また、左右の取付端部相互をボルト・ナットにより緊結するものであるので、接続には多くの時間と手間がかかり、接続作業の作業効率が悪いものであった。
【００１０】
また、上記従来の連結送水管設備の逆止弁ユニットは、短管自体の内部に放射状の連結壁を介して径大の基端部を連結した支持筒を一体的に形成した二重管構造に形成し、この支持筒内に弁体の一端に取付けた弁ロッドを摺動可能に挿入し、弁ロッドの外周には、外嵌された同径のコイルばねの附勢力を受ける円盤状の前記弁体を前記短管の上流側の内周に突設した弁座壁に押付けることにより閉止する構成であるので、例えば弁体、弁ロッド、コイルばね、Ｏリング等の部品が消火用水の高水圧を受けているうちに摩耗を生じたり、機械的疲労により新たな部品と交換が必要になると、逆止弁ユニット自体の分解が困難であるため、短管毎、逆止弁ユニットを交換しなければならなかった。このため、逆止弁ユニットの施工現場での弁体、弁ロッド、コイルばね、Ｏリング等の部品の交換、取外しをに多くの手間と時間がかかり、保守・管理は容易には行えず、設備は高価であった。
【００１１】
本考案は上記特許文献１に見られる欠点を解決し、送水口から消火用水を送る送水配管系の送水配管間の敷設長さの長短に合わせて長さが調整される長さ調整管部内に取付けた逆止弁ユニットを施工現場にて簡単な取扱い操作により着脱させて新たな部品との交換作業が容易かつ確実に行い、保守・管理を優れたものとなし、さらには、構造簡単にして製作、組付けが容易で製作コストおよび設備費を安価にする連結送水管設備を提供することを目的とする。
【課題を解決するための手段】
【００１２】
本考案は上記課題に鑑みなされたものであり、請求項１に記載の発明は、
送水口から消火用水を送る送水配管系の一次側及び二次側の送水配管間に接続される管路内に逆止弁、止水弁を設け、前記逆止弁に対して一次側または／および二次側に排水弁を備えた連結送水管設備であって、
前記送水配管間に両端が接続される長さ調整管部内に逆止弁ユニットを着脱可能に設けた、
ことを特徴とする。
【００１３】
また、本考案の請求項２に記載の考案は、請求項１において、
前記長さ調整管部は、被挿入管と該被挿入管内に摺動可能に一方の管端が挿入される挿入管とにより長さが調整可能に設けられ、
前記被挿入管または前記挿入管は、一次側または／および二次側の送水配管に対向して管端部の外周に設けた係合縁に係合するフランジと、一次側または／および二次側の前記送水配管の管端部外周に設けたフランジ部とをボルト・ナットにより緊結することにより一次側または／および二次側の送水配管に接続されることを特徴とする。
【００１４】
また、本考案の請求項３に記載の考案は、請求項１または２において、前記逆止弁ユニットが、前記挿入管の一次側の管端部内に着脱可能に取付けられるか、または、前記逆止弁ユニットが、前記挿入管の一次側の管端部内に着脱可能に取付けられることを特徴とする。
【００１５】
また、本考案の請求項４に記載の考案は、請求項１〜３の何れか１の請求項において、前記逆止弁ユニットと、止水弁と、排水弁とは前記挿入管に設けられることを特徴とする。
【００１６】
また、本考案の請求項５に記載の考案は、請求項１〜３の何れか１の請求項において、前記逆止弁ユニットと、止水弁と、排水弁とは前記被挿入管に設けられることを特徴とする。
【００１７】
また、本考案の請求項６に記載の考案は、請求項１〜５の何れか１の請求項において、
前記逆止弁ユニットが、前記被挿入管または前記挿入管の一次側の管端部内に一端が着脱自在に取付けられ、全体形状が一次側から二次側にわたり漸次径小に形成される筒状をなして外周には複数個の流通孔を有し、二次側の後端には複数個の流水孔と中心には摺動孔とが開設された支持部材が設けられた弁ケースと、
該弁ケース内に軸長方向に摺動可能に設けられ、弁ケースの一次側の内周に設けた弁座部に接離して開閉止され送水元に臨む略円錐状のキャップが前面に形成された弁体と、
前記弁ケースの軸長方向の長さの１／２以下の長さの筒状をなして前記弁体に対してアロウアンスを介して配置されるとともに一端が前記摺動孔内に摺動可能に挿入されて前記支持部材の背部に添設可能な鍔状の添設部を後端部外周に設けた弁ロッドと、
該弁ロッド内に摺動可能に挿入され先端部が前記弁体に螺入されることにより前記弁ロッドに対して前記弁体を当接可能に支持する支持ボルトと、
該支持ボルトの外周に配置され、前記弁体と前記支持部材との間に介在されることにより前記弁体を常時前記弁ケースの弁座部に当接させて閉止する方向に附勢する巻ばねと、
を備えたことを特徴とする。
【００１８】
また、本考案の請求項７に記載の考案は、請求項１〜６の何れか１の請求項において、前記止水弁が、挿入管または被挿入管の何れかの径方向に回動可能に回動軸を嵌挿し、該回動軸に前記挿入管または前記被挿入管内を開閉するバタフライを設けたことを特徴とする。
【００１９】
また、本考案の請求項８に記載の考案は、請求項１〜７の何れか１の請求項において、前記排水弁が、前記被挿入管または／および前記挿入管の外周に設けた取付管部に継手
部材を介して逆止弁ユニットに対して一次側または二次側に取付けられることを特徴とする。
【考案の効果】
【００２０】
本考案は、送水口から消火用水を送る送水配管系の送水配管間の敷設長さの長短に合わせて長さが調整される長さ調整管部内に取付けた逆止弁ユニットを施工現場にて簡単な取扱い操作により着脱させて新たな部品との交換作業を容易かつ確実に行い、保守・管理を優れたものとなし、さらには、構造簡単にして製作、組付けが容易で製作コストおよび設備費を安価にできる。
【考案を実施するための最良の形態】
【００２１】
以下図面に従い、本考案を実施するための最良の形態につき詳細を説明する。
【００２２】
図１は本考案の連結送水管設備の実施形態１を送水配管系の送水配管間に長さ調整を行った後に最小限の敷設長さにて接続した状態の断面図、図２は同じく本実施形態１の連結送水管設備の長さ調整を行った後に最大敷設長さにて接続した状態の断面図、図３は同じく本考案の連結送水管設備の実施形態１を送水配管系の送水配管間に長さ調整を行った後に最小敷設長さにて接続した状態の側面図、図４は同じく本実施形態１の連結送水管設備の長さ調整を行った後に最大敷設長さに接続した状態の側面図、図５は同じく図４のＱ−Ｑ断面図、図６は同じく図４のＲ−Ｒ断面図、図７は本考案の連結送水管設備の実施形態１を構成する逆水弁ユニットの弁体が開弁した状態を示す断面図、図８は本考案の連結送水管設備の実施形態１であり、送水配管系の送水配管間に敷設した状態の一例を示す回路図である。
【００２３】
本実施形態１は、送水口Ｊ,Ｊから消火用水Ｗを送る送水配管系Ｐの一次側及び二次側の送水配管１,１′間に接続される管路内に逆止弁Ａ′、止水弁Ｂを設け、前記逆止弁Ａ′に対して一次側または／および二次側に排水弁Ｃを備えた連結送水管設備であって、被挿入管３と該被挿入管３内に摺動可能に一方の管端部４ａが挿入される挿入管４とにより前記送水配管１,１′間の敷設長さＬの長短に合わせて長さが調整可能になる長さ調整管部２を構成し、該長さ調整管部２内に逆止弁ユニットＡを設けた、ことを特徴とする。
【００２４】
なお、本実施形態１では、好適例として長さ調整管部２の最大敷設長さＬ１は例えば図１に示すように、４００〜４５０ｍｍ、また被挿入管３の長さＬ２は１００〜１３０ｍｍ、さらに挿入管４の長さＬ３は２５０〜３００ｍｍである。これらの数値範囲は代表的な例示であり、これに限定されるものではない。
【００２５】
また、前記被挿入管３または前記挿入管４は、一次側または二次側の送水配管１,１′に対向する管端部３ａ,４ｂのうち、本実施形態１では図示するように挿入管４の管端部４ｂは、該管端部４ｂの外周に設けた係合縁４ｃに係合するフランジ５と、二次側の前記送水配管１′の管端部外周に設けたフランジ部６′とをボルト・ナット７により緊結することにより二次側の送水配管１′に接続されるとともに被挿入管３の管端部３ａは、該管端部３ａの外周に設けたフランジ部５′が一次側の送水配管１の外周に設けた前記フランジ部６にボルト・ナット７により緊結することにより一次側の送水配管１に接続される。
【００２６】
８は図３、図４において、前記被挿入管３と前記挿入管４とが、前記送水配管１,１′間の敷設長さＬの長短に合わせて長さを調整後に本固定するための本固定手段であり、この本固定手段８はこの実施形態１では図示するように前記被挿入管３と前記挿入管４との管端部３ｂと管腹部４ｄとに対向して数対設けた取付板部９,９；９,９と、該取付板部９,９；９,９相互を緊結するボルト・ナット１０とにより構成されるが、本固定手段８はこれに限ることなく、図には示さないが前記被挿入管３と前記挿入管４との管端部３ｂと管腹部４ｄとを溶接して溶接部を構成するかの何れかの手段により長さを調整後に本固定されて敷設される。
【００２７】
また、前記逆止弁ユニットＡは、図示する本実施形態１では、前記挿入管４の一次側の管端部４ａ内に着脱可能に取付けられる。
【００２８】
また、図１、図２、図７において、この逆止弁ユニットＡは、本実施形態１では前記挿入管４の一次側内に一端が着脱自在に取付けられ、全体形状が一次側から二次側にわたり漸次径小に形成される筒状をなして外周には複数個の流通孔１２を有し、二次側の後端には複数個の流水孔１３Ａと中心には摺動孔１３Ｂとが開設された支持部材１４が着脱可能に設けられた弁ケース１１と、該弁ケース１１内に軸長方向Ｘに摺動可能に設けられ、弁ケース１１の一次側の内周に設けた弁座部１１ａに接離して開閉止され送水元Ｉに臨む略円錐状のキャップ１５ａが前面に形成された弁体１５と、前記弁ケース１１の軸長方向Ｘの長さの１／２以下の長さの筒状をなして前記弁体１５に対してアロウアンスＳを介して配置されるとともに一端１６ａが前記摺動孔１３Ｂ内に摺動可能に挿入されて前記支持部材１４の背部に添設可能な鍔状の添設部１６ｂを後端外周に設けた弁ロッド１６と、該弁ロッド１６内に摺動可能に挿入され先端部が前記弁体１５に螺入されることにより前記弁ロッド１６に対して前記弁体１５を当接可能に支持する支持ボルト１７と、該支持ボルト１７の外周に配置され、前記弁体１５と前記支持部材１４との間に介在されることにより前記弁体１５を常時前記弁ケース１１の弁座部１１ａに当接させて閉止する方向に附勢する巻ばね１８と、を備えている。
【００２９】
１９は弁ロッド１６の先端外周に螺着されるストッパ鍔部であり、このストッパ鍔部１９が支持部材１４に係合することにより弁ロッド１６の開弁時の抜け出しを防止する。
【００３０】
２０は弁ケース１１の前面に着脱可能に螺着された止環部材である。
【００３１】
ｎ１は前記弁ケース１１を挿入管４の一次側内に着脱自在に取付けるために弁ケース１１の前端部外周に設けられた雄ねじ部であり、この雄ねじ部ｎ１は挿入管４の一次側の内周に設けた雌ねじ部ｍ１に螺合することにより弁ケース１１は挿入管４の一次側内に着脱自在に取付けられる。
【００３２】
ｎ２は前記弁ケース１１の二次側の後端に支持部材１４を着脱自在に取付けるために、支持部材１４の外周に設けられた雄ねじ部であり、この雄ねじ部ｎ２は弁ケース１１の後端部内周に設けた雌ねじ部ｍ２に螺合することにより支持部材１４は弁ケース１１の後端部内周に着脱自在に取付けられる。
【００３３】
２１は前記被挿入管３と、該被挿入管３内に挿入される挿入管４との水密を確保するために、被挿入管３の管端部３ｂの内周に設けた数条の環状凹部内に収嵌されたゴムまたは合成樹脂により形成されたＯリングである。
【００３４】
また、２２は前記弁座部１１ａに対して弁体１５の水密を確保するために、弁体１５の外周に嵌着され、ゴムまたは合成樹脂により形成されたＯリングである。
【００３５】
また、前記止水弁Ｂは、本実施形態１では挿入管４の径方向に回動可能に回動軸２３を嵌挿し、該回動軸２３に前記挿入管４内を開閉するバタフライ２４を設けることにより形成されるが、これに限ることなく、図には示さないが、被挿入管３の径方向に回動可能に回動軸２３を嵌挿し、該回動軸２３に被挿入管３内を開閉するバタフライ２４を設けるようにしてもよい。
【００３６】
また、前記排水弁Ｃは、本実施形態１では図示するように前記挿入管４の外周に設けた取付管部２５に継手部材２６を介して逆止弁ユニットＡに対して二次側に取付けられているが、これは代表的な例示であり、これに限ることなく、排水弁Ｃは例えば被挿入管３の外周に設けた取付管部２５′に継手部材２６を介して逆止弁ユニットＡに対して一次側に取付けられても良いし、さらには挿入管４の外周に設けた取付管部２５および被挿入管３の外周に設けた取付管部２５′の双方に継手部材２６を介して逆止弁ユニットＡに対して一次側および二次側に排水弁Ｃ,Ｃは取付けられても良い。なお前記取付管部２５,２５′は不使用の場合には閉栓される。
【００３７】
本実施形態１の連結送水管設備は以上のように被挿入管３と該被挿入管３内に摺動可能に一方の管端部４ａが挿入される挿入管４とにより長さが調整可能になる長さ調整管部２を構成するので、例えば消防ポンプ自動車から伸びるホースの接続金具が接続されてポンプが駆動されることにより消火用水Ｗが供給される送水口Ｊ,Ｊの設置位置、また、送水口Ｊ,Ｊの設置方向、或いは、屋外に設けた送水口Ｊ,Ｊから建造物Ｔに付帯して設けられる送水配管系Ｐの建物までの敷設長さ、さらには送水口Ｊ,Ｊから建造物Ｔまでの送水配管系Ｐの送水配管1,1′間の敷設長さＬ等が建造物Ｔ毎に長短個々に異なる場合に、長さ調整管部２の被挿入管３内に管端部４ａを挿入している挿入管４を施工現場において被挿入管３に対して挿入管４を摺動させて押込んだり、引出すという簡単な取扱い操作により送水配管1,1′間の敷設長さＬに合わせて長短長さを調整することができる。
【００３８】
このようにして、建造物Ｔ毎に異なる送水口Ｊ,Ｊから建造物Ｔに敷設される送水配管系Ｐの送水配管1,1′間の敷設長さＬに合わせて連結送水管設備の長さ調整管部２に対する被挿入管３の長さを長短調整した後に、被挿入管３と挿入管４との管端部３ｂと管腹部４ｄとの外周に対向して数対設けた本固定手段８の取付板部９,９；９,９相互をボルト・ナット１０により緊結することにより送水配管１,１′間の敷設長さＬに合わせて長さを調整後の被挿入管３と挿入管４とを本固定する。
【００３９】
この際、取付板部９,９；９,９相互を緊結するためのボルト・ナット１０は、図４に示すように長さ調整管部２の被挿入管３と挿入管４との長さに合わせて長い長さのボルトが使用されて螺合されるナット１０ａ、１０ｂ、１０ｃ、１０ｄの取付板部９、９；９、９を挟持するために設置位置を変化するようにして開示しているが、これに限ることなく長さ調整管部２の被挿入管３と挿入管４との長さを調整した後には図に示されないが被挿入管３と挿入管４との長さに合わせて短い長さのボルトを使用するようにしてもよい。これには、長い長さのボルトを切断して短くして使用しても良いし、長い長さのボルトと、短い長さのボルトとを個別に用意して使用しても良い。
【００４０】
また、本固定手段８は、図示するように取付板部９,９；９,９と、ボルト・ナット１０とを用いて緊結するという上記手段に限ることなく、図には示さないが例えば被挿入管３と挿入管４とを長さを調整後に、管端部３ｂと管腹部４ｄとを相互を溶接して溶接部を構成して本固定するようにしてもよい。
【００４１】
このようにして長さ調整される長さ調整管部２の被挿入管３と挿入管４との使用長さは例えば本実施形態１では、長さ調整管部２の最大敷設長さＬ１が例えば４００〜４５０ｍｍであり（図２参照）、また最小敷設長さＬ１′は２１５〜２４０ｍｍ程度になる（図１参照）。そして、被挿入管３の長さＬ２は１００〜１３０ｍｍ、挿入管４の長さＬ３は２５０〜３００ｍｍである。従って、送水配管1,1′間の敷設長さＬが建造物Ｔ毎に異なる場合にも、この敷設長さＬに合わせて本実施形態１の連結送水管設備では、施工現場において長さ調整管部２の被挿入管３と挿入管４とを長短長さ調整して使用することができる。
【００４２】
そして、前述のように、長さ調整管部２の被挿入管３に対する挿入管４の長さを長短調整してから本固定された本実施形態１の連結送水管設備の被挿入管３と、挿入管４とを建造物Ｔ毎に長短敷設長さＬが異なる送水口Ｊ,Ｊから建造物Ｔに敷設される送水配管系Ｐの送水配管1,1′間に接続するには、本実施形態１では図示するように、挿入管４の管端部４ｂの外周に設けた係合縁４ｃに係合するフランジ５と、二次側の前記送水配管１′の管端部外周に設けたフランジ部６′とをボルト・ナット７により緊結することにより二次側の送水配管１′と挿入管４の管端部４ｂとを接続する。このように、挿入管４の管端部４ｂの外周に設けた係合縁４ｃに係合するフランジ５を二次側の前記送水配管１′の管端部外周に設けたフランジ部６′にボルト・ナット７により緊結するようにしたのは、フランジ５を係合縁４ｃに係合することによりフランジ５を挿入管４の管端部４ｂの外周に溶接するという製作上の工程、手間を省いた。また、被挿入管３の管端部３ａの外周に設けたフランジ部５′と、一次側の送水配管１の管端部外周に設けたフランジ部６とをボルト・ナット７により緊結することにより一次側の送水配管１と被挿入管３とを接続する。
【００４３】
しかしながら、この接続方法は代表的な例示であり、これに限ることなく、図には示さないが、被挿入管３の一次側の外周に突設した係合縁に係合するフランジを設けた場合には、このフランジと一次側の送水配管１の管端に設けたフランジ部６とをボルト・ナット７により緊結することにより一次側の送水配管１と被挿入管４とを接続するようにしてもよい。
【００４４】
このように、本実施形態１の連結送水管設備では、被挿入管３の一端のフランジ部５′、または図には示さないが、被挿入管３の一端外周に突設する係合縁に係脱可能になるフランジと一次側の送水配管１のフランジ部６とをボルト・ナット７を用いて緊結するか、また、挿入管４の管端部４ｂの外周に設けたフランジ５、または図には示さないフランジ部と二次側の送水配管１′のフランジ部６′とをボルト・ナット７を用いて緊結するという２個所においてボルト・ナット７によりフランジ結合することにより一次側と二次側の送水配管１,１′間に、被挿入管３と挿入管４とよりなる連結送水管設備の接続が行え、その接続個所が特許文献１に記載の連結送水管設備のように、上流側となる一次側の送水配管と上流側短管との接続、また、下流側となる二次側の送水配管と下流側短管との接続、さらには各短管相互の接続との合計５個所を２つ割のサドル形式の継手を用いて接続するという連結送水管設備とは異なり、接続個所が削減されるとともに部品点数が少なく、接続作業は迅速かつ確実に行え、作業効率は向上される。
【００４５】
こうして、送水口Ｊ,Ｊに消防ポンプ自動車のホースを接続金具（図には示さず）を介して接続し、ポンプを駆動することにより高圧の消火用水Ｗは送水元Ｉとなる送水口Ｊ,Ｊから送水配管系Ｐの一次側の送水配管1内に供給される。
【００４６】
そして、消火用水Ｗが送水配管系Ｐの一次側の送水配管1から本実施形態１の連結送水管設備の被挿入管３内に供給されると、この連結送水管設備の挿入管４内に設けた逆止弁ユニットＡの弁体１５が消火用水Ｗの高水圧を受けて巻ばね材１８の附勢力により押し込まれ、弁ケース１１の弁座部１１ａから離脱し、開弁されるので、弁ケース１１内に流入される消火用水Ｗの一部は弁ロッド１６に沿って流水孔１３Ａから弁ケース１１の後段に流出され、弁ケース１１の外周に設けた複数個の流通孔１２を通じて外周へと流れ出る他の一部の消火用水Ｗの呼水になり、流速を速め、消火用水Ｗに対する抵抗は少なく、管内の圧力損失を小さくすることができる。
【００４７】
また、弁ロッド１６は、弁体１５に対してアロウアンスＳを介して一端が分離されて弁ケース１１の軸長方向Ｘの半分以下の長さに形成されているので、前述のように弁体１５が巻ばね材１８の附勢力に抗して消火用水Ｗの高圧を受けて弁ケース１１の弁座部１１ａから離脱しても直ちには弁ロッド１６は応動しない。
【００４８】
すなわち、弁体１５の押し込みが続行され、図１に示すアロウアンスＳが次第に狭められて弁体１５が弁ロッド１６の一端に衝突すると、初めて弁ロッド１６は支持ボルト１７により支持されながら巻ばね材１８の附勢力に抗して押し込まれる。
【００４９】
そして、本実施形態１では、弁ロッド１６は、弁ケース１１の軸長方向Ｘの半分以下の長さに形成されているので、弁ロッド１６は支持部材１４から僅かに突出するという短い移動ストロークになり、止水弁Ｂの弁の開閉動作に支障を生じない（図７参照）。
【００５０】
また、逆止弁ユニットＡは、本実施形態１では前記挿入管４の一次側の内周に設けた雌ねじ部ｍ１に前端部外周に設けた雄ねじ部ｎ１を螺合することにより全体形状が一次側から二次側にわたり漸次径小に形成される筒状をなして外周に複数個の流通孔１２を有し、二次側の後端には複数個の流水孔１３Ａと中心には摺動孔１３Ｂとが開設された支持部材１４が設けられた弁ケース１１が取付けられ、この弁ケース１１内には、該弁ケース１１の一次側の内周に設けた弁座部１１ａに接離して開閉止される弁体１５が摺動可能に設けられ、弁ケース１１の軸長方向Ｘの長さの１／２以下の長さの筒状をなした弁ロッド１６が前記弁体１５に対してアロウアンスＳを介して配置されるとともに一端１６ａを前記摺動孔１３Ｂ内に摺動可能に挿入されて前記支持部材１４の背部に添設可能な鍔状の添設部１６ｂを後端外周に設け、支持ボルト１７を弁ロッド１６内に摺動可能に挿入して先端部を前記弁体１５に螺入されることにより前記弁ロッド１６に対して前記弁体１５を当接可能に支持し、該支持ボルト１７の外周には、前記弁体１５と前記支持部材１４との間に巻ばね１８を介在されることにより前記弁体１５を常時前記弁ケース１１の弁座部１１ａに当接させて閉止する方向に附勢しているので、逆止弁ユニットＡを弁ケース１１内に容易に組付けることができる。
【００５１】
しかも、例えば弁体１５、弁座部１１ａ、弁ロッド１６、巻ばね１８、支持部材１４等の部品が機械的疲労や摩耗により故障の原因になったり、新たな部品と交換する必要を生じた場合には、被挿入管３の管端部３ａの外周に設けたフランジ部５′と、一次側の送水配管１の管端に設けたフランジ部６とをボルト・ナット７による緊結を解くことにより一次側の送水配管１と被挿入管３との取付を外すとともに挿入管４の管端部４ｂの外周に設けた係合縁４ｃに係合するフランジ５と、二次側の前記送水配管１′の管端に設けたフランジ部６′とをボルト・ナット７の緊結を解くことにより二次側の送水配管１′と挿入管４の管端部４ｂとの取付を解除する。
【００５２】
このようにして連結送水管設備を送水配管１,１′に対して接続を解除してから例えば挿入管４の一次側の内周に設けた雌ねじ部ｍ１から弁ケース１１の一次側の管端部外周に設けた雄ねじ部ｎ１を螺退して逆止弁ユニットＡを連結送水管設備の挿入管４の外部に弁ケース１１毎取り出す。それから、この弁ケース１１の前端、内周に螺着した止環部材２０を螺退して取外し、また、雌ねじ部ｍ２から雄ねじ部ｎ２を螺退して支持部材１４を弁ケース１１の後部から取り外した後に、弁ケース１１から弁体１５、弁ロッド１６、巻ばね１８、Ｏリング２２等の部品を取り出して新たなものと交換する。
【００５３】
そして、逆止弁ユニットＡの部品を新たな部品と交換した後は、送水配管１,１′間に連結送水管設備を接続する接続作業と同様に再び逆止弁ユニットＡの弁ケース１１を挿入管４の一次側の管端部４ａ内に雌ねじ部ｍ１と雄ねじ部ｍ１とを螺合することにより逆止弁ユニットＡの組付けを行い、送水配管１,１′間への連結送水管設備の接続を行う。
【００５４】
なお、この部品の交換作業は、挿入管４に対する逆止弁ユニットＡの取外しと、挿入管４から逆止弁ユニットＡを取り出した後の逆止弁ユニットＡの分解が容易に行えることから施工現場において作業者が弁ケース１１から逆止弁ユニットＡを取外してから、弁体１５、弁ロッド１６、巻ばね１８、Ｏリング２２等の部品を弁ケース１１から取り出して新たな部品の交換作業を行うこともできるし、または送水配管１,１′間から接続が解かれた本実施形態１の連結送水管設備毎工場に運搬して前述のような操作、および取り扱いにより部品の交換や補修を行ってもよい。
【００５５】
また、本実施形態１の連結送水管設備では、長さ調整管部２の挿入管４の逆止弁ユニットＡの二次側に、挿入管４の径方向に回動可能に回動軸２３を嵌挿し、該回動軸２３に前記挿入管４内を開閉するバタフライ２４を設けることにより止水弁Ｂを形成しているので、連結送水管設備の同一の挿入管４に逆止弁ユニットＡと止水弁Ｂとの弁類を備えているため、コンパクトになり、逆止弁ユニットＡと、止水弁Ｂとを連結配水管設備に組付けたり、製作作業が省略化され、使用が便利になり、また、取扱い、運搬、保管に適する。なお、図示する本実施形態１では、長さ調整管部２の挿入管４の逆止弁ユニットＡの二次側に、挿入管４の外周に設けた取付管部２５に継手部材２６を介して止水弁Ｂを設けているが、これに限ることなく、図には示さないが、例えば長さ調整管部２の挿入管４に設けた逆止弁ユニットＡに対して一次側に、止水弁Ｂを設けてもよい。
【００５６】
しかも、本実施形態１では、図示するように挿入管４の外周に設けた取付管部２５に継手部材２６を介して逆止弁ユニットＡに対して例えば二次側に継手部材２６を介して排水弁Ｃを取付けることができるので、同一の挿入管４に逆止弁ユニットＡと、止水弁Ｂと、排水弁Ｃとを備えるため、逆止弁ユニットＡと、止水弁Ｂと、排水弁Ｃとの施工現場での取付が省け、使用に便利になり、しかも、コンパクトにして軽量な連結配水管設備になり、取扱い、運搬、保管にも適する。
【００５７】
なお、上記実施形態１では、挿入管４に設ける逆止弁ユニットＡに対して二次側に排水弁Ｃを取付管部２５に継手部材２６を介して取付けるようにしているが、これに限ることなく、逆止弁ユニットＡの一次側、例えば被挿入管３の外周に設けた取付管部２５′に継手部材２６を介して排水弁Ｃを取付けることもできるし、挿入管４に設けた取付管部２５、および被挿入管３の外周に設けた取付管部２５′の双方に継手部材２６を介して逆止弁ユニットＡに対して一次側および二次側に排水弁Ｃ,Ｃを取付けても良い。なお前記取付管部２５,２５′は不使用の場合には、例えば図には示さない蓋材にて被覆したり、ピンを取付管部２５,２５′内に嵌入することにより閉栓される。
【００５８】
さらに、上記実施形態１では、挿入管４の管端部４ｂの外周に設けた係合縁４ｃに係合するフランジ５と、二次側の前記送水配管１′の管端に設けたフランジ部６′とをボルト・ナット７により緊結することにより二次側の送水配管１′と挿入管４の管端部４ｂとを接続するとともに被挿入管３の管端部３ａの外周に設けたフランジ部５′と、一次側の送水配管１の管端部外周に設けたフランジ部６とをボルト・ナット７により緊結することにより一次側の送水配管１と被挿入管４とを接続しているが、これらの接続方法は代表的な例示であり、これに限ることなく、例えば、図には示さないが、被挿入管３の一次側の外周に突設した係合縁に係合するフランジを設けた場合には、このフランジと一次側の送水配管１の管端に設けたフランジ部６とをボルト・ナット７により緊結することにより一次側の送水配管１と被挿入管４とを接続するようにしてもよい。
【産業上の利用可能性】
【００５９】
本考案は、送水口から消火用水を送る送水配管系の送水配水管間の敷設長さの長短に合わせて長さが調整される長さ調整管部内に取付けた逆止弁ユニットを施工現場にて簡単な取扱い操作により着脱させて新たな部品との交換作業を容易かつ確実に行い、保守・管理を優れたものとなし、さらには、構造簡単にして製作、組付けが容易で製作コストおよび設備費を安価にできる用途・効果に適する。
【図面の簡単な説明】
【００６０】
【図１】図１は本考案の連結送水管設備の実施形態１を送水配管系の送水配管間に長さ調整を行った後に最小敷設長さにて接続した状態の断面図である。
【図２】図２は同じく本実施形態１の連結送水管設備の長さ調整を行った後に最大敷設長さにて接続した状態の断面図である。
【図３】図３は同じく本考案の連結送水管設備の実施形態１を送水配管系の送水配管間に長さ調整を行った後に最小敷設長さにて接続した状態の側面図である。
【図４】図４は同じく本実施形態１の連結送水管設備の長さ調整を行った後に最大敷設長さにて接続した状態の側面図である。
【図５】図５は同じく図４のＱ−Ｑ断面図である。
【図６】図６は同じく図４のＲ−Ｒ断面図である。
【図７】図７は本考案の連結送水管設備の実施形態１を構成する逆水弁ユニットの弁体が開弁した状態を示す断面図である。
【図８】図８は本考案の連結送水管設備の実施形態１であり、送水配管系の送水配管間に敷設した状態の一例を示す回路図である。
【符号の説明】
【００６１】
１    送水配管
１′  送水配管
２    長さ調整管部
３    被挿入管
３ａ  管端部
４    挿入管
４ａ  管端部
４ｂ  管端部
４ｃ  係合縁
５    フランジ
５′  フランジ部
６    フランジ部
６′  フランジ部
７    ボルト・ナット
Ａ    逆止弁ユニット
Ａ′  逆止弁
Ｂ    止水弁
Ｃ    排水弁
Ｊ    送水口
Ｌ    敷設長さ
Ｐ    送水配管系
Ｗ    消火用水
【図１】
0003118890.tif 000003
【図２】
0003118890.tif 000004
【図３】
0003118890.tif 000005
【図４】
0003118890.tif 000006
【図５】
0003118890.tif 000007
【図６】
0003118890.tif 000008
【図７】
0003118890.tif 000009
【図８】
0003118890.tif 000010